(57)【要約】【課題】携帯端末において、電池切れにより電源オフになる前にユーザが指定する相手に対して、電池切れになり通信ができなくなることを通知することにある。また、電池復帰後復帰したことを通知することにある。【解決手段】制御部２１は、電圧監視部２６が測定する電池パック１の電圧が電池切れの目安となるαＶ以下になっているかを確認し、αＶ以下になっていればＡメモリエリア２７１に登録されているメールアドレス宛にＢメモリエリアの内容（電池切れにより通信できないこと）を通知する。更に、制御部２１は、電池切れ通知後に、電圧監視部２６が測定する電池パック１の電圧が電池復帰の目安となるγＶ以上になっているかを確認し、γＶ以上になっていればＡメモリエリア２７１に登録されているメールアドレス宛にＢメモリエリア２７２の内容（電池復帰により通信できること）を通知する。【選択図】      図１
2005018200.tif 000002
【特許請求の範囲】
【請求項１】
ネットワークを介して通信するメール送信機能付き携帯端末であって、
電池の電圧を測定する測定手段と、
前記測定手段で測定する前記電池の電圧が電池切れの目安となる所定の第１の閾値以下になっているかどうかを確認する第１の確認手段と、
前記第１の確認手段で前記電池の電圧が前記第１の閾値以下になっていればあらかじめ登録されたメールアドレスに対して電池切れで通信ができない旨の第１のメールで通知する第１の通知手段と、を有することを特徴とするメール機能付き携帯端末。
【請求項２】
ネットワークを介して通信するメール送信機能付き携帯端末であって、
電池の電圧を測定する測定手段と、
前記測定手段で測定する前記電池の電圧が電池切れの目安となる所定の第１の閾値以下になっているかどうかを確認する第１の確認手段と、
前記第１の確認手段で前記電池の電圧が前記第１の閾値以下になっていればあらかじめ登録されたメールアドレスに対して電池切れで通信ができない旨の第１のメールで通知する第１の通知手段と、
前記第１の通知手段による前記第１のメールで通知した後に電池切れ復帰の目安となる所定の第２の閾値以上になっていれば前記第１の通知手段で通信した前記メールアドレスに対して電池復帰により通信ができる旨の第２のメールで通知する第２の通知手段と、を有することを特徴とするメール機能付き携帯端末。
【請求項３】
前記第１の確認手段で前記電池の電圧が前記第１の閾値以下になった後に前記測定手段で測定する前記電池の電圧が電池切れによる電源ＯＦＦの目安となる第３の閾値以下になっているかどうかを確認する第２の確認手段と、
前記第２の確認手段で前記電池の電圧が前記第３の閾値以下になっていれば電源を落とす切断手段と、を有することを特徴とする請求項１または２記載のメール機能付き携帯端末。
【請求項４】
前記第１の確認手段で前記電池の電圧が前記第１の閾値以下になった後に前記測定手段で測定する前記電池の電圧が電池切れによる電源ＯＦＦの目安となる第３の閾値以下になっているかどうかを確認する第２の確認手段と、
前記第２の確認手段で前記電池の電圧が前記第３の閾値以下になっていれば電池切れを示すアラームを鳴動する鳴動手段と、を有することを特徴とする請求項１または２記載のメール機能付き携帯端末。
【請求項５】
前記鳴動手段で前記アラームを鳴動した後に電源を落とす切断手段と、を有することを特徴とする請求項４記載のメール機能付き携帯端末。
【請求項６】
前記メールアドレスを登録する第１の登録手段を有することを特徴とする請求項１または２記載のメール機能付き携帯端末。
【請求項７】
前記第１のメールの内容を登録する第２の登録手段を有することを特徴とする請求項１または２記載のメール機能付き携帯端末。
【請求項８】
前記第２のメールの内容を登録する第３の登録手段を有することを特徴とする請求項２記載のメール機能付き携帯端末。
【請求項９】
前記第１の確認手段は、携帯端末がアイドル状態の時に前記測定手段で測定する前記電池の電圧が前記第１の閾値以下になっているかどうかを確認することを特徴とする請求項１または２記載のメール機能付き携帯端末。
【請求項１０】
前記第１の閾値は、携帯端末の動作可能最低電圧の電圧値より高い電圧値であって、前記登録されたメールアドレス全てに前記第１のメールを１回以上送信できる前記電池の電圧であることを特徴とする請求項１，２，３，または４記載のメール送信機能付き携帯端末。
【請求項１１】
携帯端末が緊急時にネットワークを介してメールを送信する緊急時メール送信方法であって、
電池の電圧を測定し続けるステップと、
前記測定する電池の電圧が電池切れの目安となる所定の第１の閾値以下になっているかどうかを確認するステップと、
前記測定する電池の電圧が前記第１の閾値以下になっていればあらかじめ登録されたメールアドレスに対して電池切れで通信ができない旨の第１のメールで通知するステップと、を含むことを特徴とする緊急時メール送信方法。
【請求項１２】
携帯端末が緊急時にネットワークを介してメールを送信する緊急時メール送信方法であって、
電池の電圧を測定し続けるステップと、
前記測定する電池の電圧が電池切れの目安となる所定の第１の閾値以下になっているかどうかを確認するステップと、
前記測定する電池の電圧が前記第１の閾値以下になっていればあらかじめ登録されたメールアドレスに対して電池切れで通信ができない旨の第１のメールで通知するステップと、
前記第１のメールで通知した後に電池切れ復帰の目安となる所定の第２の閾値以上になっていれば前記通信したメールアドレスに対して電池復帰により通信ができる旨の第２のメールで通知するステップと、を含むことを特徴とする緊急時メール送信方法。
【請求項１３】
前記測定する電池の電圧が前記第１の閾値以下になった後に前記測定する電池の電圧が電池切れによる電源ＯＦＦの目安となる第３の閾値以下になっているかどうかを確認するステップと、
前記測定する電池の電圧が前記第３の閾値以下になっていれば電源を落とすステップと、を含むことを特徴とする請求項１１または１２記載の緊急時メール送信方法。
【請求項１４】
前記測定する電池の電圧が前記第１の閾値以下になった後に前記測定する電池の電圧が電池切れによる電源ＯＦＦの目安となる第３の閾値以下になっているかどうかを確認するステップと、
前記測定する電池の電圧が前記第３の閾値以下になっていれば電池切れを示すアラームを鳴動するステップと、を含むことを特徴とする請求項１１または１２記載の緊急時メール送信方法。
【請求項１５】
前記アラームを鳴動した後に電源を落とすステップと、を含むことを特徴とする請求項１４記載のメール機能付き携帯端末。
【請求項１６】
前記メールアドレスを登録するステップを含むことを特徴とする請求項１１または１２記載の緊急時メール送信方法。
【請求項１７】
前記第１のメールの内容を登録するステップを含むことを特徴とする請求項１１または１２記載の緊急時メール送信方法。
【請求項１８】
前記第２のメールの内容を登録するステップを含むことを特徴とする請求項１２記載の緊急時メール送信方法。
【請求項１９】
前記測定する電池の電圧が前記第１の閾値以下になっているかどうかを携帯端末がアイドル状態の時に確認することを特徴とする請求項１１または１２記載の緊急時メール送信方法。
【請求項２０】
前記第１の閾値は、携帯端末の動作可能最低電圧の電圧値よりも高い電圧値であって、前記登録されたメールアドレス全てに前記第１のメールを１回以上送信できる前記電池の電圧であることを特徴とする請求項１１，１２，１３，または１４記載の緊急時メール送信方法。
【請求項２１】
緊急時にネットワークを介してメールを送信する手段をプロセッサに機能させるための緊急時メール送信プログラムであって、
電池の電圧を測定する測定手段と、
前記測定手段で測定する前記電池の電圧が電池切れの目安となる所定の第１の閾値以下になっているかどうかを確認する第１の確認手段と、
前記第１の確認手段で前記電池の電圧が前記第１の閾値以下になっていればあらかじめ登録されたメールアドレスに対して電池切れで通信ができない旨の第１のメールで通知する第１の通知手段と、を前記プロセッサに機能させるための緊急時メール送信プログラム。
【請求項２２】
緊急時にネットワークを介してメールを送信する手段をプロセッサに機能させるための緊急時メール送信プログラムであって、
電池の電圧を測定する測定手段と、
前記測定手段で測定する前記電池の電圧が電池切れの目安となる所定の第１の閾値以下になっているかどうかを確認する第１の確認手段と、
前記第１の確認手段で前記電池の電圧が前記第１の閾値以下になっていればあらかじめ登録されたメールアドレスに対して電池切れで通信ができない旨の第１のメールで通知する第１の通知手段と、
前記第１の通知手段による前記第１のメールで通知した後に電池切れ復帰の目安となる所定の第２の閾値以上になっていれば前記第１の通知手段で通信した前記メールアドレスに対して電池復帰により通信ができる旨の第２のメールで通知する第２の通知手段と、を前記プロセッサに機能させるための緊急時メール送信プログラム。
【請求項２３】
前記第１の確認手段で前記電池の電圧が前記第１の閾値以下になった後に前記測定手段で測定する前記電池の電圧が電池切れによる電源ＯＦＦの目安となる第３の閾値以下になっているかどうかを確認する第２の確認手段と、
前記第２の確認手段で前記電池の電圧が前記第３の閾値以下になっていれば電源を落とす切断手段と、を前記プロセッサに機能させるための請求項２１または２２記載の緊急時メール送信プログラム。
【請求項２４】
前記第１の確認手段で前記電池の電圧が前記第１の閾値以下になった後に前記測定手段で測定する前記電池の電圧が電池切れによる電源ＯＦＦの目安となる第３の閾値以下になっているかどうかを確認する第２の確認手段と、
前記第２の確認手段で前記電池の電圧が前記第３の閾値以下になっていれば電池切れを示すアラームを鳴動する鳴動手段と、を前記プロセッサに機能させるための請求項２１または２２記載の緊急時メール送信プログラム。
【請求項２５】
前記鳴動手段で前記アラームを鳴動した後に電源を落とす切断手段を前記プロセッサに機能させるための請求項２４記載の緊急時メール送信プログラム。
【請求項２６】
前記メールアドレスを登録する第１の登録手段を前記プロセッサに機能させるための請求項２１または２２記載の緊急時メール送信プログラム。
【請求項２７】
前記第１のメールの内容を登録する第２の登録手段を前記プロセッサに機能させるための請求項２１または２２記載の緊急時メール送信プログラム。
【請求項２８】
前記第２のメールの内容を登録する第３の登録手段を前記プロセッサに機能させるための請求項２２記載の緊急時メール送信プログラム。
【請求項２９】
前記第１の確認手段は、携帯端末がアイドル状態の時に前記測定手段で測定する前記電池の電圧が前記第１の閾値以下になっているかどうかを確認することを特徴とする請求項２１または２２記載の緊急時メール送信プログラム。
【請求項３０】
前記第１の閾値は、携帯端末の動作可能最低電圧の電圧値よりも高い電圧値であって、前記登録されたメールアドレス全てに前記第１のメールを１回以上送信できる前記電池の電圧であることを特徴とする請求項２１，２２，２３，または２４記載の緊急時メール送信プログラム。
【発明の詳細な説明】
【０００１】
【発明の属する技術分野】
本発明は、メール送信機能付き携帯端末、並びに緊急時メール送信方法およびプログラムに関し、特に、携帯端末の電池切れに伴う緊急時におけるメール送信機能付き携帯端末、並びに緊急時メール送信方法およびプログラムに関する。
【０００２】
【従来の技術】
従来、電池の出力電圧により動作する端末が、電池残量が少なくなった場合に少なくなったことを通知する方式として、例えば、特開２００２−１８６０５２号公報が開示されている。この特開２００２−１８６０５２号公報には、端末が一定間隔で電池残量を監視し、電池残量が少なくなると、センターにその旨を通知する。センターは、データベースに登録されているその端末の利用者の通知先にその端末の充電を促す旨を通知する技術が記載されている。
【０００３】
【特許文献１】
特開２００２−１８６０５２号公報
【０００４】
【発明が解決しようとする課題】
従来、特開２００２−１８６０５２号公報によれば、センターからの通知により電池パックが無くなる直前に、電圧低下アラーム（電池切れアラーム）が鳴動または充電を促す通知を受信することで、利用者だけ端末の電池パックの容量が無くなる事がわかっても、連絡を頻繁に取り合う相手には今にも電池切れを起こす端末を使ってマニュアル操作で連絡するしか連絡する手段がなく、マニュアル操作にしてもすぐに対応できるとは限らないため、操作上に問題もあり、相手に心配をかけるという問題点がある。
【０００５】
また、特開２００２−１８６０５２号公報によれば、センターに緊急時連絡先を登録しなければならず、ユーザにとっては、登録による回線費用を負担等発生することになり、使い勝手が悪いという問題点がある。
【０００６】
更に、特開２００２−１８６０５２号公報によれば、全てのユーザのニーズを確保するには、全ユーザに対応した大容量の記憶部を準備しなければならないため、設備費に費用がかかるという問題点がある。これを回避しようとして、ユーザからサービス費として徴収する方法が考えられるが、これを適用したとしてもユーザの費用負担が増大するという問題点が新たに発生する。
【０００７】
本発明の目的は、上記問題点を鑑み、電池切れにより電源オフなる前に、ユーザが指定する相手に対して、電池切れになり通信ができなくなることを通知することにある。
【０００８】
更に、本発明の目的は、電池が復帰したら、電池切れになり通信できない旨の通知を行った相手に対して、電池が復帰し通信ができることを通知することにある。
【０００９】
【課題を解決するための手段】
上記目的を達成するために、本発明の第１のメール送信機能付き携帯端末は、ネットワークを介して通信するメール送信機能付き携帯端末であって、電池の電圧を測定する測定手段と、前記測定手段で測定する前記電池の電圧が電池切れの目安となる所定の第１の閾値以下になっているかどうかを確認する第１の確認手段と、前記第１の確認手段で前記電池の電圧が前記第１の閾値以下になっていればあらかじめ登録されたメールアドレスに対して電池切れで通信ができない旨の第１のメールで通知する第１の通知手段と、を有することを特徴としている。
【００１０】
また、本発明の第２のメール送信機能付き携帯端末は、ネットワークを介して通信するメール送信機能付き携帯端末であって、電池の電圧を測定する測定手段と、前記測定手段で測定する前記電池の電圧が電池切れの目安となる所定の第１の閾値以下になっているかどうかを確認する第１の確認手段と、前記第１の確認手段で前記電池の電圧が前記第１の閾値以下になっていればあらかじめ登録されたメールアドレスに対して電池切れで通信ができない旨の第１のメールで通知する第１の通知手段と、前記第１の通知手段による前記第１のメールで通知した後に電池切れ復帰の目安となる所定の第２の閾値以上になっていれば前記第１の通知手段で通信した前記メールアドレスに対して電池復帰により通信ができる旨の第２のメールで通知する第２の通知手段と、を有することを特徴としている。
【００１１】
更に、上記の第１または第２のメール送信機能付き携帯端末において、前記第１の確認手段で前記電池の電圧が前記第１の閾値以下になった後に前記測定手段で測定する前記電池の電圧が電池切れによる電源ＯＦＦの目安となる第３の閾値以下になっているかどうかを確認する第２の確認手段と、前記第２の確認手段で前記電池の電圧が前記第３の閾値以下になっていれば電源を落とす切断手段と、を有することを特徴としている。
【００１２】
更に、上記の第１または第２のメール送信機能付き携帯端末において、前記第１の確認手段で前記電池の電圧が前記第１の閾値以下になった後に前記測定手段で測定する前記電池の電圧が電池切れによる電源ＯＦＦの目安となる第３の閾値以下になっているかどうかを確認する第２の確認手段と、前記第２の確認手段で前記電池の電圧が前記第３の閾値以下になっていれば電池切れを示すアラームを鳴動する鳴動手段と、を有することを特徴としている。
【００１３】
更に、前記鳴動手段で前記アラームを鳴動した後に電源を落とす切断手段と、を有することを特徴としている。
【００１４】
更に、上記の第１または第２のメール送信機能付き携帯端末において、前記メールアドレスを登録する第１の登録手段を有することを特徴としている。
【００１５】
更に、上記の第１または第２のメール送信機能付き携帯端末において、前記第１のメールの内容を登録する第２の登録手段を有することを特徴としている。
【００１６】
更に、上記の第２のメール送信機能付き携帯端末において、前記第２のメールの内容を登録する第３の登録手段を有することを特徴としている。
【００１７】
更に、上記の第１または第２のメール送信機能付き携帯端末において、前記第１の確認手段は、携帯端末がアイドル状態の時に前記測定手段で測定する前記電池の電圧が前記第１の閾値以下になっているかどうかを確認することを特徴としている。
【００１８】
更に、上記の第１または第２のメール送信機能付き携帯端末において、前記第１の閾値は、携帯端末の動作可能最低電圧の電圧値より高い電圧値であって、前記登録されたメールアドレス全てに前記第１のメールを１回以上送信できる前記電池の電圧であることを特徴としている。
【００１９】
また、本発明の第１の緊急時メール送信方法は、携帯端末が緊急時にネットワークを介してメールを送信する緊急時メール送信方法であって、電池の電圧を測定し続けるステップと、前記測定する電池の電圧が電池切れの目安となる所定の第１の閾値以下になっているかどうかを確認するステップと、前記測定する電池の電圧が前記第１の閾値以下になっていればあらかじめ登録されたメールアドレスに対して電池切れで通信ができない旨の第１のメールで通知するステップと、を含むことを特徴としている。
【００２０】
また、本発明の第２の緊急時メール送信方法は、携帯端末が緊急時にネットワークを介してメールを送信する緊急時メール送信方法であって、電池の電圧を測定し続けるステップと、前記測定する電池の電圧が電池切れの目安となる所定の第１の閾値以下になっているかどうかを確認するステップと、前記測定する電池の電圧が前記第１の閾値以下になっていればあらかじめ登録されたメールアドレスに対して電池切れで通信ができない旨の第１のメールで通知するステップと、前記第１のメールで通知した後に電池切れ復帰の目安となる所定の第２の閾値以上になっていれば前記通信したメールアドレスに対して電池復帰により通信ができる旨の第２のメールで通知するステップと、を含むことを特徴としている。
【００２１】
更に、上記の第１または第２の緊急時メール送信方法において、前記測定する電池の電圧が前記第１の閾値以下になった後に前記測定する電池の電圧が電池切れによる電源ＯＦＦの目安となる第３の閾値以下になっているかどうかを確認するステップと、前記測定する電池の電圧が前記第３の閾値以下になっていれば電源を落とすステップと、を含むことを特徴としている。
【００２２】
更に、上記の第１または第２の緊急時メール送信方法において、前記測定する電池の電圧が前記第１の閾値以下になった後に前記測定する電池の電圧が電池切れによる電源ＯＦＦの目安となる第３の閾値以下になっているかどうかを確認するステップと、前記測定する電池の電圧が前記第３の閾値以下になっていれば電池切れを示すアラームを鳴動するステップと、を含むことを特徴としている。
【００２３】
更に、前記アラームを鳴動した後に電源を落とすステップと、を含むことを特徴としている。
【００２４】
更に、上記の第１または第２の緊急時メール送信方法において、前記メールアドレスを登録するステップを含むことを特徴としている。
【００２５】
更に、上記の第１または第２の緊急時メール送信方法において、前記第１のメールの内容を登録するステップを含むことを特徴としている。
【００２６】
更に、上記の第２の緊急時メール送信方法において、前記第２のメールの内容を登録するステップを含むことを特徴としている。
【００２７】
更に、上記の第１または第２の緊急時メール送信方法において、前記測定する電池の電圧が前記第１の閾値以下になっているかどうかを携帯端末がアイドル状態の時に確認することを特徴としている。
【００２８】
更に、上記の第１または第２の緊急時メール送信方法において、前記第１の閾値は、携帯端末の動作可能最低電圧の電圧値よりも高い電圧値であって、前記登録されたメールアドレス全てに前記第１のメールを１回以上送信できる前記電池の電圧であることを特徴としている。
【００２９】
また、本発明の第１の緊急時メール送信プログラムは、緊急時にネットワークを介してメールを送信する手段をプロセッサに機能させるための緊急時メール送信プログラムであって、電池の電圧を測定する測定手段と、前記測定手段で測定する前記電池の電圧が電池切れの目安となる所定の第１の閾値以下になっているかどうかを確認する第１の確認手段と、前記第１の確認手段で前記電池の電圧が前記第１の閾値以下になっていればあらかじめ登録されたメールアドレスに対して電池切れで通信ができない旨の第１のメールで通知する第１の通知手段と、を前記プロセッサに機能させる。
【００３０】
また、本発明の第２の緊急時メール送信プログラムは、緊急時にネットワークを介してメールを送信する手段をプロセッサに機能させるための緊急時メール送信プログラムであって、電池の電圧を測定する測定手段と、前記測定手段で測定する前記電池の電圧が電池切れの目安となる所定の第１の閾値以下になっているかどうかを確認する第１の確認手段と、前記第１の確認手段で前記電池の電圧が前記第１の閾値以下になっていればあらかじめ登録されたメールアドレスに対して電池切れで通信ができない旨の第１のメールで通知する第１の通知手段と、前記第１の通知手段による前記第１のメールで通知した後に電池切れ復帰の目安となる所定の第２の閾値以上になっていれば前記第１の通知手段で通信した前記メールアドレスに対して電池復帰により通信ができる旨の第２のメールで通知する第２の通知手段と、を前記プロセッサに機能させる。
【００３１】
更に、上記の第１または第２の緊急時メール送信プログラムにおいて、前記第１の確認手段で前記電池の電圧が前記第１の閾値以下になった後に前記測定手段で測定する前記電池の電圧が電池切れによる電源ＯＦＦの目安となる第３の閾値以下になっているかどうかを確認する第２の確認手段と、前記第２の確認手段で前記電池の電圧が前記第３の閾値以下になっていれば電源を落とす切断手段と、を前記プロセッサに機能させる。
【００３２】
更に、上記の第１または第２の緊急時メール送信プログラムにおいて、前記第１の確認手段で前記電池の電圧が前記第１の閾値以下になった後に前記測定手段で測定する前記電池の電圧が電池切れによる電源ＯＦＦの目安となる第３の閾値以下になっているかどうかを確認する第２の確認手段と、前記第２の確認手段で前記電池の電圧が前記第３の閾値以下になっていれば電池切れを示すアラームを鳴動する鳴動手段と、を前記プロセッサに機能させる。
【００３３】
更に、前記鳴動手段で前記アラームを鳴動した後に電源を落とす切断手段を前記プロセッサに機能させる。
【００３４】
更に、上記の第１または第２の緊急時メール送信プログラムにおいて、前記メールアドレスを登録する第１の登録手段を前記プロセッサに機能させる。
【００３５】
更に、上記の第１または第２の緊急時メール送信プログラムにおいて、前記第１のメールの内容を登録する第２の登録手段を前記プロセッサに機能させる。
【００３６】
更に、上記の第２の緊急時メール送信プログラムにおいて、前記第２のメールの内容を登録する第３の登録手段を前記プロセッサに機能させる。
【００３７】
更に、上記の第１または第２の緊急時メール送信プログラムにおいて、前記第１の確認手段は、携帯端末がアイドル状態の時に前記測定手段で測定する前記電池の電圧が前記第１の閾値以下になっているかどうかを確認することを特徴としている。
【００３８】
更に、上記の第１または第２の緊急時メール送信プログラムにおいて、前記第１の閾値は、携帯端末の動作可能最低電圧の電圧値よりも高い電圧値であって、前記登録されたメールアドレス全てに前記第１のメールを１回以上送信できる前記電池の電圧であることを特徴としている。
【００３９】
【発明の実施の形態】
次に、本発明の実施の形態について、図面を参照して説明する。
【００４０】
図１を参照すると、本発明の実施の形態における携帯電話機、ＰＨＳ等の携帯端末内の構成を示したブロック図であって、この携帯端末は、電池である電池パック１と、電池パック１から電源が供給される携帯電話部２とから構成される。
【００４１】
図１の携帯電話部２は、図示していないプロセッサ（ＣＰＵ）によりプログラム制御で動作する制御部２１と、メールの内容等を表示するＬＣＤ２３と、携帯電話を操作する操作部２２と、音声を外部に流すスピーカ２４と、図示していない無線網を介して相手とデータのやりとりを行う無線部２５と、電池パック１の電圧を監視する電圧監視部２６と、不揮発性のメモリであるメモリ２７とから構成される。なお、制御部２１は、無線部２５と電圧監視部２６とＬＣＤ２３と操作部２２とスピーカ２４とメモリ２７とを制御する。
【００４２】
図１のメモリ２７には、緊急連絡先のメールアドレスを記憶するＡメモリエリア２７１と、緊急のメール内容を記憶するＢメモリエリア２７２と、緊急のメールを送信したことを記憶するＣメモリエリア２７３と、緊急時メール送信に関連するプログラムが格納されているプログラムメモリエリア２７４とが、それぞれ割り当てられている。
【００４３】
図２を参照すると、Ａメモリエリア２７１内の構成を示し、電池切れまたは電池復帰検出時におけるメールの送信先である複数のメモリアドレスが登録される。
【００４４】
図３を参照すると、Ｂメモリエリア２７２内の構成を示し、モード毎に、モードの名称（「基本」か「ユーザ指定」）を示すモード領域、電池切れ時に送信する場合のメールの内容を示す電池切れ領域、電池復帰時に送信するメールの内容を示す電池復帰領域、どちらのモードを選択するかどうかを示す選択領域（例えば、「１」になっている方を選択。ただし、両方とも「０」または「１」になっている場合には、「基本」を優先。）から構成される。なお、工場出荷時に、「基本」モードに該当する電池切れ領域および電池復帰領域には、メーカ側で準備された内容が格納されている。
【００４５】
図４を参照すると、Ｃメモリエリア２７３内の構成を示し、電池切れによる緊急メールを送信した場合に、Ｃメモリエリア２７３内の緊急メール送信状態領域には、例えば、「ＯＮ」が設定される。工場出荷時または電池復帰によるメールが送信された場合に、Ｃメモリエリア２７３には、例えば、「ＯＦＦ」が設定される。
【００４６】
次に、図１〜図７を参照して、本発明の実施の形態の動作について説明する。なお、図５および図６は、制御部２１すなわちプロセッサ（ＣＰＵ）がプログラムメモリエリア２７４に格納されているプログラムを実行した場合の動作フローチャートを示している。
【００４７】
今、携帯電話機の電源が投入されると、携帯電話部２の制御部２１が、初期処理を実行した後、初期画面をＬＣＤ２３に表示して、ＷＡＩＴ処理ルーチンに入っている状態である。一方、電源が投入されると、携帯電話部２の電圧監視部２６は、電圧パック１の出力電圧が何Ｖになっているかを常に監視（測定）しており、監視した電圧の値を携帯電話部２の基本クロックに同期して現在の電圧パック１の電圧を電圧監視部２６内のレジスタへの保存を繰り返している。
【００４８】
制御部２１は、ＷＡＩＴ処理ルーチンに入ると、まず、Ｃメモリエリア２７３内の緊急メール送信状態領域が「ＯＮ」になっていないかを確認することで、電池切れによる緊急メールの送信を行ったどうかを確認する。（図５のステップＳＳ１０１，１０２）。
【００４９】
まだ、電池切れによる緊急の連絡通知を利用していないので、Ｃメモリエリア２７３内の緊急メール送信状態領域が「ＯＦＦ」または「０」になっているため、ステップＳ１０３に進む。更に、制御部２１は、電圧監視部２６のレジスタを読み出し、その読み出した値が規定値α以下（電池電圧が電池切れの目安となるαＶ以下）かどうかを確認する（ステップＳ１０３，Ｓ１０４）。
【００５０】
ステップＳ１０４において、制御部２１は、当初、電池が充電されているため、電池電圧がαＶを超えることになり、操作部２２（キー押下時等による）、無線部２５（送受信時等による）からの割り込みの処理を行うステップＳ２００の割り込み許可処理ルーチンに進む。この割り込み許可処理ルーチンでは、制御部２１は、割り込み要因があればその割り込み要因に該当する割り込み処理を行い、割り込み要因がなければ何もしないでステップＳ１０３に戻る（ステップＳ２００）。
【００５１】
このようにして、制御部２１は、ステップＳ１０３、ステップＳ１０４、ステップＳ２００を繰り返し実行している。すなわち、制御部２１は、アイドル状態時に電池パック１の出力電圧がαＶ以下になっていないかどうかの確認を行っていることになる。
【００５２】
一方、携帯電話の保有者が、電池の容量がなくなったときに緊急時に通知するためのメールアドレスおよびメール内容を入力するために、ＬＣＤ２３上のメニュー画面を参照しながら操作部２２を利用してメニュー画面操作をし始めると、制御部２２に割り込みが発生する。制御部２１は、ステップＳ２００において割り込み要因を解析することで、メニュー画面操作ということがわかり、図６のメニュー画面操作処理ルーチンを実行する。
【００５３】
すなわち、携帯電話の保有者が、ＬＣＤ２３上のメニュー画面から「電池切れ緊急連絡先」の項目を、操作部２２を利用しながら選択する。この場合、例えば、あらかじめ工場出荷時にメニュー画面に「電池切れ緊急連絡先」の項目を盛り込んでおき、緊急連絡先の項目が選択された場合に制御部２１が緊急連絡先の入力処理を実行する（入力画面を表示させてマン・マシーン・インタフェースにより入力処理を行う）ようにしておけば良い。なお、メニュー画面情報、その入力画面情報等の表示情報は、図示していない記憶部（例えば、メモリ２７）内のあるエリアにあらかじめ登録されており、制御部２１により読み出されてＬＣＤ２３に表示される。このように、キー操作（キーを押下）する毎に制御部２１に割り込みを発生させながら（この場合のステップＳ２１０の画面操作では、制御部２１は、キー押下毎にＬＣＤ２３上に画面表示させ、一端ステップＳ１０３に戻り、次のキー押下時にステップＳ２００の割り込み許可処理でステップＳ２１０に入り、画面処理を進めていく）目的とするメニュー画面を表示させ、「電池切れ緊急連絡先」の項目が選択されると、制御部２１は、宛先のメールアドレスと緊急時に送るメールの内容と復帰後のメールの内容とを入力させる入力画面をＬＣＤ２３に表示する。保有者が入力画面に従って、緊急連絡用のメールアドレス（複数可）と、電池切れになる旨のメールの内容（例えば、「私の携帯電話機がこれから電池切れを起こしますので、しばらくの間通信ができません。電池が復帰した場合には、復帰の通知をしますのでよろしくお願いします」）と、電池復帰となる旨のメールの内容（例えば、「私の携帯電話機の電池は、復帰し、通信可能となりましたので通知します」）を入力すると、制御部２１は、入力されたメールアドレスをＡメモリエリア２７１に、入力された電池切れになる旨のメールの内容をＢメモリエリア２７２のユーザ設定モードに該当する電池切れ領域に、入力された電池復帰になる旨のメールの内容をＢメモリエリア２７２のユーザ設定モードに該当する電池復帰領域に、それぞれ登録し、終了することで、図５のＷＡＩＴ処理ルーチンのステップＳ１０３に戻る。（図５のステップＳ２００，図６のステップＳ２１０，Ｓ２２１，Ｓ２２２）。なお、操作部２２から、あらかじめ工場出荷時に登録された標準のメール内容と登録したメール内容との選択ができるようになっており、選択されたメール内容が緊急時に送信される。この場合、画面操作により選択されたモード（基本またはユーザ指定）は、制御部２１により該当するＢメモリエリア２７２の選択領域に「ＯＮ」として設定される。ステップＳ２０３でメールアドレスだけ登録された場合には、工場出荷時に登録されているメールの内容が電池切れまたは電池復帰時のメールの内容として自動的に選択される。
【００５４】
やがて、電池パック１の放電が進み、電池パック１の出力電圧がαＶになると、電圧監視部２６は、電圧監視部２６内のレジスタに保存する。すると、ステップＳ１０４において、制御部２１は、電圧監視部２６のレジスタを読み出し、規定値αと比較すると、規定値α以下になっているため、ステップＳ１０５に進む。
【００５５】
制御部２１は、Ａメモリエリア２７１内のメールアドレス領域に登録されている全てのメールアドレス（宛先）へＢメモリエリア２７２内で選択領域が「ＯＮ」になっている電池切れ領域に登録されているメールの内容を、無線部２５を介して送信すると共に、Ｃメモリエリア２７３内の緊急メール送信状態を「ＯＮ」に設定する。なお、Ａメモリエリア内のメールアドレス領域に何も登録されていなければ、制御部２１は、何もしないでステップＳ１０６に進む。（ステップＳ１０５）。
【００５６】
ステップＳ１０５によるメール送信後、制御部２１は、送信した結果（例えば、「電池切れが間近になり、電池切れの通知を＜メールアドレス＞に発信しました」。ただし、＜メールアドレス＞は、Ａメモリエリア２７１内のメールアドレス領域の内容。）をＬＣＤ２３に表示する。（ステップＳ１０６）。
【００５７】
メール送信後、制御部２１は、監視部２６のレジスタを読み出し、読み出した値が規定値β以下になっていないかどうかを確認する。送信直後には規定値β以下（電池電圧が電源ＯＦＦの目安となるβＶ以下）になっていないため、制御部２１は、電圧監視部２６のレジスタを読み出し、その読み出した値が規定値γ以上（電池電圧がγＶ以上）になっているかを確認する。この場合、そのまま充電もしないで使用中のため電池電圧がγＶ未満（γＶは電池復帰の目安）となっており、制御部２１は、ステップＳ３００の割り込み許可処理に進み、割り込み許可処理（割り込み要因があるとその割り込み要因に該当する割り込み処理を行い、なければ何にもしない）を行い、電池電圧がβＶ以下またはγＶ以上になるまで、ステップＳ１０７，Ｓ１０８，Ｓ１１４，Ｓ１１５，Ｓ３００を繰り返す。（ステップＳ１０７，Ｓ１０８Ｓ１１４，Ｓ１１５，Ｓ３００）。この場合のステップＳ３００の割り込み許可処理ルーチンは、ステップＳ２００の割り込み許可処理ルーチンと同じ動作を制御部２１が行う。なお、ステップＳ３００の割り込み許可処理をなくしても良い。
【００５８】
やがて、電池パック１の出力電圧がβＶ以下になると、電圧監視部２６のレジスタはそのときの出力電圧の値が設定され、制御部２１は、ステップＳ１０８で電池電圧がβＶになったことを検出し、電圧低下（電池切れ）を示すアラームを、スピーカ２４を介して鳴動する。鳴動後、制御部２１は、電池パック１からの電源供給を停止（電源パック１からの出力をスイッチにより強制ＯＦＦにする）することにより、携帯電話機の電源をＯＦＦにする。（ステップＳ１０９，Ｓ１１０）。
【００５９】
電源ＯＦＦ後に携帯端末の保有者が電池パック１の交換または電池パック１を充電した後、電源を投入することにより、制御部２１がＷＡＩＴ処理ルーチンに入ると、制御部２１は、Ｃメモリエリア２７３内の緊急メール送信状態領域が「ＯＮ」になっていないかを確認することで、電池切れによる緊急メールの送信を行ったどうかを確認する。（ステップＳ１０１，Ｓ１０２）。
【００６０】
ステップＳ１０２において、「ＯＮ」になっているため、制御部２１は、電池復帰による電池パック１の出力電圧が復帰しているかを確認するために電圧監視部２６内のレジスタの内容が規定値γ以上（電池電圧がγＶ以上）になっているかどうかを確認する。（ステップＳ１１１）。
【００６１】
ステップＳ１１１において、電池電圧がγＶ以上になっているため、制御部２１は、Ａメモリエリア２７１内に登録されている全てのメールアドレス（宛先）へＢメモリエリア２７２内で選択領域が「ＯＮ」になっている電池復帰領域に登録されているメールの内容を、無線部５を介して送信すると共に、Ｃメモリエリア２７３内の緊急メール送信状態を「ＯＦＦ」に設定し、ステップＳ１０３に進む。（ステップＳ１１３）。すなわち、電池切れで通信のできない旨の緊急メールの送信を行った相手先のメールアドレスに対して、電池復帰により通信ができる旨のメールを送信することになる。
【００６２】
上記説明では、電源ＯＦＦ後に電池パック１の充電を行ったが、途中でも充電することができる。すなわち、電池電圧がαＶ以下になり、制御部２１が電池切れによる通信ができない旨のメールを送信した後で電池電圧がβＶ以下になる前に、携帯電話機の保有者が電源を入れたまま充電をすると、やがて、電池パック１の出力電圧がγ値以上になる。すると、制御部２１は、ステップＳ１１５において、電池電圧がβＶ以上を検出することになり、ステップＳ１１６に進む。更に、ステップＳ１１６において、制御部２１は、Ｃメモリエリア２７３内の緊急メール送信状態領域が「ＯＮ」になっていること確認して、Ａメモリエリア２７１内に登録されている全てのメールアドレス（宛先）へＢメモリ２７２内で選択領域が「ＯＮ」になっている電池復帰領域に登録されているメールの内容を、無線部５を介して送信すると共に、Ｃメモリエリア２７３内の緊急メール送信状態を「ＯＦＦ」に設定し、ステップＳ１０３に進む。なお、ステップＳ１１６において、Ｃメモリエリア２７３内の緊急メール送信状態領域が「ＯＮ」になっていなければ、何もしないでステップＳ１０３に進む。（ステップＳ１１６）。
【００６３】
なお、上記の電池切れの目安となる電池電圧αＶは、最大パワーでメールの文字数でかつ最大のデータ量メールを１回以上送信できる電池電圧（すなわち、携帯端末の動作可能最低電圧の電圧値よりも高い電圧値であって、前記登録されたメールアドレス全てに前記第１のメールを１回以上送信できる電池電圧）とし、電池切れによる電源ＯＦＦの目安となる電池電圧βＶは、αＶよりも小さい値とし、電池復帰の目安となる電池電圧γＶは、αＶよりも大きい値とする。（図７を参照）。
【００６４】
また、規定値（閾値）α、β、γは、工場出荷時にプログラムメモリエリア２７４に格納されているプログラムの中に設定しても良いし、不揮発性のメモリ（例えば、フラッシュメモリ）に工場出荷時に定数として設定しておき、それぞれの確認時に不揮発性のメモリから読み出して確認するようにしても良い。
【００６５】
上記の実施の形態で説明したように、制御部２１が、電池パック１の出力電圧が電池切れの目安となるαＶ以下になることを確認すると、Ａメモリエリア２７１に登録されているメールアドレス宛に電池切れで通信ができない旨の内容でＢメモリエリア２７２に登録されているメールを送信するようにしているため、ユーザが指定する相手に対して、電池パック１の容量がなくなる前に電池切れになり通信できなくなることを通知することができる。更に、このことにより、この携帯端末に頻繁に電話をかけてくる相手に心配をさせない。
【００６６】
また、制御部２１が、電池切れで通信できない旨のメールを送信した後（送信したかどうかは、Ｃメモリエリア２７３の内容を確認）、電池パック１の出力電圧が電池復帰の目安となるγＶ以上になることを確認すると、Ａメモリエリア２７１に登録されているメールアドレス宛に電池復帰により通信ができる旨の内容でＢメモリエリア２７２に登録されているメールを送信するようにしているため、ユーザが指定する相手に対して、電池復帰により通信できることを通知することができる。そのため、電池切れで通信できないという通知を受けた相手側は、電源が復帰（電池パック１の充電または交換による）されると同時に電池復帰の通知がくるので、すぐに通信ができる。
【００６７】
【発明の効果】
以上説明したように、本発明は、電池パックの出力電圧が電池切れの目安となる閾値以下になることを確認すると、あらかじめ登録されているメールアドレス宛に電池切れで通信ができない旨のメールを送信するようにしているため、ユーザが指定する相手に対して、電池の容量がなくなる前に電池切れになり通信できなくなることを通知することができるという効果がある。更に、この携帯端末に頻繁に電話をかけてくる相手に心配をさせないという効果がある。
【００６８】
また、本発明は、電池切れで通信できない旨のメールを送信した後、電池パックの出力電圧が電池復帰の目安となる閾値になることを確認すると、あらかじめ登録されているメールアドレス宛に電池復帰により通信ができる旨のメールを送信するようにしているため、ユーザが指定する相手に対して、電池復帰により通信できることを通知することができるという効果がある。そのため、電池切れで通信できないという通知を受けた相手側は、電源が復帰されると同時に電池復帰の通知がくるので、すぐに通信ができるという効果がある。
【図面の簡単な説明】
【図１】本発明の第１の実施の形態の構成の概略を示すブロック図である。
【図２】図１のＡメモリエリアの構成の概略を示す構成概略図である。
【図３】図１のＢメモリエリアの構成の概略を示す構成概略図である。
【図４】図１のＣメモリエリアの構成の概略を示す構成概略図である。
【図５】図１の制御部がアイドル状態になったときに実行するＷＡＩＴ処理ルーチンである。
【図６】図１の制御部がメニュー画面操作による割り込み処理を実行する場合のメニューが面操作処理ルーチンである。
【図７】図１の電池パックの電池の放電特性の概略示すグラフである。
【符号の説明】
１    電池パック
２    携帯電話部
２１    制御部
２２    操作部
２３    ＬＣＤ
２４    スピーカ
２５    無線部
２６    電圧監視部
２７    メモリ
２７１    Ａメモリエリア
２７２    Ｂメモリエリア
２７３    Ｃメモリエリア
２７４    プログラムメモリエリア
【図１】
2005018200.tif 000003
【図２】
2005018200.tif 000004
【図３】
2005018200.tif 000005
【図４】
2005018200.tif 000006
【図５】
2005018200.tif 000007
【図６】
2005018200.tif 000008
【図７】
2005018200.tif 000009